(57)【要約】【課題】無線ＬＡＮによる内線電話機能を有する携帯電話機で内線番号の検索が可能な内線電話システム及び該内線電話システムを用いた内線番号検索方法の提供。【解決手段】無線ＬＡＮを介して携帯電話機１１が接続されるＶｏＩＰサーバ１３と同じイントラネット上に、携帯電話機１１からの検索要求を受けて内線電話データベース１４を検索し、携帯電話機１１に内線番号を通知するフロントエンド（内線検索サーバ１５）を設置する。また、携帯電話機１１には、この内線検索サーバ１５のホストネーム（ＩＰアドレス）を記憶し、利用者が電話帳検索を要求した際に、携帯電話機１１が構内にあってＶｏＩＰサーバ１３に接続されている場合は、無線ＬＡＮを介して内線検索サーバ１５に接続して検索要求を実行し、内線番号を受け取る手段を具備させる。【選択図】図１
2008245097.tif 000002
【特許請求の範囲】
【請求項１】
イントラネットにＶｏＩＰ（Voice over Internet Protocol）サーバと内線番号データベースと無線ＬＡＮアクセスポイントとを含む構内システムと、前記無線ＬＡＮアクセスポイントを介して前記構内システムに接続可能な無線ＬＡＮ通信機能を備える携帯電話機と、を少なくとも備える内線電話システムにおいて、
前記構内システムに、
前記携帯電話機からの番号検索要求に従って、前記内線番号データベースを検索する番号検索部と、
前記番号検索部で検索した番号を内線発信可能な番号に加工して前記携帯電話機に通知する番号通知部と、を含む内線検索サーバを備えることを特徴とする内線電話システム。
【請求項２】
前記携帯電話機は、予め設けられた電話帳検索機能で指定された検索キーに基づく番号検索要求を前記内線検索サーバに送信する機能を備え、
前記番号検索部は、前記番号検索要求の前記検索キーを利用して前記内線番号データベースを検索することを特徴とする請求項１記載の内線電話システム。
【請求項３】
前記番号検索部は、前記携帯電話機が前記ＶｏＩＰサーバに接続されている場合にのみ、検索を実行することを特徴とする請求項１又は２に記載の内線電話システム。
【請求項４】
イントラネットにＶｏＩＰ（Voice over Internet Protocol）サーバと内線番号データベースと内線検索サーバと無線ＬＡＮアクセスポイントとを含む構内システムと、前記無線ＬＡＮアクセスポイントを介して前記構内システムに接続可能な無線ＬＡＮ通信機能を備える携帯電話機と、を少なくとも備える内線電話システムにおける内線番号検索方法であって、
前記携帯電話機に予め設けられた電話帳検索機能を利用して、予め記憶された電話帳から番号を検索する第１のステップと、
前記電話帳に前記番号が存在しない場合に、前記携帯電話機から前記内線検索サーバに、番号検索要求を送信する第２のステップと、
前記内線検索サーバで前記番号検索要求を受信し、該番号検索要求に従って、前記内線番号データベースを検索する第３のステップと、
前記内線検索サーバで検索した番号を内線発信可能な番号に加工して前記携帯電話機に通知する第４のステップと、を少なくとも有することを特徴とする内線番号検索方法。
【請求項５】
前記第２のステップでは、前記電話帳検索機能で指定された検索キーに基づく番号検索要求を送信し、
前記第３のステップでは、前記番号検索要求の前記検索キーを利用して前記内線番号データベースを検索することを特徴とする請求項４記載の内線番号検索方法。
【請求項６】
前記第３のステップは、前記携帯電話機が前記ＶｏＩＰサーバに接続されている場合にのみ、検索を実行することを特徴とする請求項４又は５に記載の内線番号検索方法。
【発明の詳細な説明】
【技術分野】
【０００１】
本発明は、内線番号システム及び内線番号検索方法に関し、特に、無線ＬＡＮ内線電話機能を有する携帯電話機を含む内線電話システム及び該内線電話システムにおける内線番号検索方法に関する。
【背景技術】
【０００２】
近年、携帯電話機等の携帯端末は仕事のツールとして利用されており、無線ＬＡＮを介した内線電話機能を有する携帯電話機を構内の内線電話システムに接続するための様々な技術が開示されている（例えば、下記特許文献１参照）。このシステムでは、内線使用時でも構内の場所を選ばす着発信を行うことができるため、利用者の利便性を高めることができる。
【０００３】
【特許文献１】特開２００４−１８６７４７号公報
【発明の開示】
【発明が解決しようとする課題】
【０００４】
ここで、無線ＬＡＮ内線電話機能を有する携帯電話機で内線に電話する際、携帯電話機の電話帳には内線電話番号が登録されていないため、内線電話システムの利用者に、イントラネットに接続されたパーソナルコンピュータなどのコンピュータ端末を介して内線電話データベースを検索する手段を提供しているケースも多い。
【０００５】
しかしながら、構内であっても場所によっては、検索のためのコンピュータ端末がない、あるいはコンピュータ端末がイントラネットに繋がっていない等の理由で、利用者が内線番号を調べることができず、発信ができないという問題があった。
【０００６】
本発明は、上記問題点に鑑みてなされたものであって、その主たる目的は、無線ＬＡＮによる内線電話機能を有する携帯電話機で内線番号の検索が可能な内線電話システム及び該内線電話システムを用いた内線番号検索方法を提供することにある。
【課題を解決するための手段】
【０００７】
上記目的を達成するため、本発明は、イントラネットにＶｏＩＰ（Voice over Internet Protocol）サーバと内線番号データベースと無線ＬＡＮアクセスポイントとを含む構内システムと、前記無線ＬＡＮアクセスポイントを介して前記構内システムに接続可能な無線ＬＡＮ通信機能を備える携帯電話機と、を少なくとも備える内線電話システムにおいて、前記構内システムに、前記携帯電話機からの番号検索要求に従って、前記内線番号データベースを検索する番号検索部と、前記番号検索部で検索した番号を内線発信可能な番号に加工して前記携帯電話機に通知する番号通知部と、を含む内線検索サーバを備えるものである。
【０００８】
本発明においては、前記携帯電話機は、予め設けられた電話帳検索機能で指定された検索キーに基づく番号検索要求を前記内線検索サーバに送信する機能を備え、前記番号検索部は、前記番号検索要求の前記検索キーを利用して前記内線番号データベースを検索する構成とすることができる。
【０００９】
また、本発明においては、前記番号検索部は、前記携帯電話機が前記ＶｏＩＰサーバに接続されている場合にのみ、検索を実行する構成とすることができる。
【００１０】
また、本発明は、イントラネットにＶｏＩＰ（Voice over Internet Protocol）サーバと内線番号データベースと内線検索サーバと無線ＬＡＮアクセスポイントとを含む構内システムと、前記無線ＬＡＮアクセスポイントを介して前記構内システムに接続可能な無線ＬＡＮ通信機能を備える携帯電話機と、を少なくとも備える内線電話システムにおける内線番号検索方法であって、前記携帯電話機に予め設けられた電話帳検索機能を利用して、予め記憶された電話帳から番号を検索する第１のステップと、前記電話帳に前記番号が存在しない場合に、前記携帯電話機から前記内線検索サーバに、番号検索要求を送信する第２のステップと、前記内線検索サーバで前記番号検索要求を受信し、該番号検索要求に従って、前記内線番号データベースを検索する第３のステップと、前記内線検索サーバで検索した番号を内線発信可能な番号に加工して前記携帯電話機に通知する第４のステップと、を少なくとも有するものである。
【００１１】
本発明においては、前記第２のステップでは、前記電話帳検索機能で指定された検索キーに基づく番号検索要求を送信し、前記第３のステップでは、前記番号検索要求の前記検索キーを利用して前記内線番号データベースを検索する構成とすることができる。
【００１２】
また、本発明においては、前記第３のステップは、前記携帯電話機が前記ＶｏＩＰサーバに接続されている場合にのみ、検索を実行する構成とすることができる。
【００１３】
このように、本発明は、無線ＬＡＮによる内線電話機能を有する携帯電話機を含む内線電話システムに内線検索サーバを設け、内線検索サーバでは、携帯電話機からの要求に応じて内線番号データベースを検索し、検索した番号を携帯電話機に通知する制御を行うため、携帯電話機の通常使用と同様に、利用者は内線発信することができる。
【発明の効果】
【００１４】
本発明の内線電話システム及び内線番号検索方法によれば、下記記載の効果を奏する。
【００１５】
本発明の第１の効果は、無線ＬＡＮによる内線機能を有する携帯電話機を使用して通常の電話帳検索と同じ手順で内線番号の検索が可能となるということである。その理由は、内線番号データベースと無線ＬＡＮによる内線電話機能を有する携帯電話機の電話帳機能とを無線ＬＡＮを介して連携させているからである。これにより、イントラネットにつながるコンピュータ端末等の別の装置がなくても内線番号の検索ができるため、利用者の利便性を高めることができる。
【００１６】
また、本発明の第２の効果は、上記内線番号の検索を容易に実行することができるということである。その理由は、携帯電話機本体内の電話帳検索と同じ手順でシームレスに内線検索を行うため、利用者は検索のために新しい方法を学習する必要がないからである。
【００１７】
また、本発明の第３の効果は、上記内線番号の検索が可能な内線電話システムを容易に導入することができるということである。その理由は、内線番号の検索は構内で無線ＬＡＮに接続しているときしか実行されないため、内線電話システムに内線検索サーバを追加するだけでよいからである。
【発明を実施するための最良の形態】
【００１８】
従来技術で示したように、無線ＬＡＮ内線電話機能を有する携帯電話機を用いて内線電話をかける場合、イントラネットに接続されたコンピュータ端末等を介して内線番号の検索を行っているが、この方法では、検索のためのコンピュータ端末がない場合や、コンピュータ端末がイントラネットに繋がっていない場合には内線番号を調べることができないという問題があった。
【００１９】
ここで、無線ＬＡＮによる内線電話機能を有する携帯電話機は、構内では無線ＬＡＮを介してイントラネットに接続されているため、内線番号の検索サービスにアクセスする手段さえ提供すればコンピュータ端末と同様のサービスを受けることができる。そこで、本発明では、携帯電話機の電話帳機能を構内の内線番号データベースと連携させて、利用者が無線ＬＡＮの届く構内であれば、携帯電話機本体の電話帳に記録されていない内線番号の検索ができるようにする。
【００２０】
具体的には、図１において、無線ＬＡＮを介して携帯電話機１１が接続されるＶｏＩＰサーバ１３と同じイントラネット上に、携帯電話機１１からの検索要求を受けて内線電話データベース１４を検索し、携帯電話機１１に内線番号を通知するフロントエンド（内線検索サーバ１５）を設置する。
【００２１】
また、携帯電話機１１には、この内線検索サーバ１５のホストネーム（ＩＰアドレス）を記憶し、利用者が電話帳検索を要求した際に、携帯電話機１１が構内にあってＶｏＩＰサーバ１３に接続されている場合は、無線ＬＡＮを介して内線検索サーバ１５に接続して検索要求を実行し、内線番号を受け取る手段を具備させる。
【００２２】
これにより、無線ＬＡＮによる内線機能を有する携帯電話機を使用して通常の電話帳検索と同じ手順で内線番号の検索が可能になる。
【実施例】
【００２３】
上記した本発明の実施の形態についてさらに詳細に説明すべく、本発明の一実施例に係る内線電話システム及び内線番号検索方法について、図１乃至図５を参照して説明する。図１は、本実施例に係る無線ＬＡＮを介した内線電話機能を有する携帯電話機を含む内線電話システムの構成を模式的に示す図である。また、図２は、内線検索サーバの構成を示すブロック図であり、図３は、携帯電話機の構成を示すブロック図である。また、図４は、本実施例の内線電話システムにおける内線番号の検索手順を示すフローチャート図であり、図５は、内線検索サーバに対する検索要求の詳細を示すフロー図である。
【００２４】
図１に示すように、本実施例の内線電話システム１０は、無線ＬＡＮ（Local Area Network）を介した内線電話機能を有する携帯電話機１１と構内システムとで構成され、構内システムは、携帯電話機１１と通信する無線ＬＡＮアクセスポイント１２と、音声をＩＰ（Internet Protocol）パケットに変換して通信ネットワーク上で音声通話を可能にする機能を実現するＶｏＩＰ（Voice over Internet Protocol）サーバ１３と、利用者にイントラネットで繋がれたコンピュータ端末（図示せず）を介して内線番号の検索を提供する内線番号データベース１４と、本実施例の特徴部分である内線検索サーバ１５などで構成される。
【００２５】
携帯電話機１１は、図３に示すように、無線基地局との通信を行うアンテナ３１ａ及び通信部３２ａと、Bluetoothなどの規格に基づいて無線ＬＡＮアクセスポイント１２との通信を行う無線ＬＡＮアンテナ３１ｂ及び無線ＬＡＮ通信部３２ｂと、制御部３３と、方向キーや数字キー、特殊キーなどで構成されるキー操作部３４と、液晶表示装置や有機ＥＬ（Electroluminescence）表示装置などで構成される表示部３５と、電話帳や内線検索サーバ１５のホストネーム（ＩＰアドレス）などが記憶されるＲＡＭ（Random Access Memory）などのメモリ３６と、音声コーデック部３７と、スピーカ３８と、マイク３９などで構成され、内線電話として機能する際には、無線ＬＡＮアクセスポイント１２を介してＶｏＩＰサーバ１３に接続される。また、制御部３３は、内線番号の検索が要求された場合に、内線検索サーバ１５に対して内線番号の検索要求を行う。この制御は、コンピュータを、上記制御を行う手段として機能させる制御プログラムとして実行してもよい。
【００２６】
また、内線検索サーバ１５は、図２に示すように、携帯電話機１１からの検索要求を受け、携帯電話機１１がＶｏＩＰサーバ１３に接続されている場合に、内線番号データベース１４で内線番号の検索を実行する番号検索部２２と、番号検索部２２で検索した内線番号を内線発信可能な番号に加工して携帯電話機１１に通知する番号通知部２３と、内線番号データベース１４や携帯電話機１１と通信するための通信部２４と、これらを制御する制御部２１などで構成される。上記番号検索部２２及び番号通知部２３はハードウェアとして構成してもよいし、コンピュータを、番号検索部２２及び番号通知部２３として機能させる制御プログラムとして構成してもよい。なお、内線検索サーバ１５と内線番号データベース１４は物理的に別の装置であってもよいし、同一装置であってもよい。
【００２７】
次に、図４のフローチャート図を参照して、本実施例の内線電話システム１０を用いた内線番号の検索手順について説明する。
【００２８】
まず、携帯電話機１１の利用者は、内線番号の検索を行う場合、通常どおり、携帯電話機１１の電話帳機能を用いて番号検索を要求する（ステップＳ１１）。
【００２９】
次に、携帯電話機１１の制御部３３は、メモリ３６に予め記録されている電話帳内を検索し（ステップＳ１２）、電話帳に検索対象の番号が存在する場合（ステップＳ１３の”Ｙ”の場合）は、ステップＳ１４で、制御部３３はその結果を表示部３５に表示する。
【００３０】
一方、電話帳内に検索対象の番号が見つからなかった場合(ステップＳ１３の”Ｎ”の場合)は、携帯電話機１１の制御部３３は、無線ＬＡＮアンテナ３１ｂ及び無線ＬＡＮ通信部３２ｂにより、無線ＬＡＮアクセスポイント１２を介してＶｏＩＰサーバ１３に繋がっているかどうかを調べる（ステップＳ１５）。
【００３１】
ＶｏＩＰサーバ１３に繋がっていない場合（ステップＳ１５の”Ｎ”の場合）は、この携帯電話機１１は構内に存在せず、無線ＬＡＮを介して内線検索サーバ１５に接続できないと想定されるため、制御部３３は表示部３５に該当なしと表示して（ステップＳ１９）処理を終了する。これにより、構外で携帯電話機として機能している場合は、内線検索は実行されない。
【００３２】
一方、ＶｏＩＰサーバに繋がっている場合（ステップＳ１５の”Ｙ”の場合）は、携帯電話機１１の制御部３３は、メモリ３６に内線検索サーバ１５のホストネーム（ＩＰアドレス）が登録・保存されているかどうか調べる（ステップＳ１６）。
【００３３】
内線検索サーバ１５のアドレスが登録されていない場合（ステップＳ１６の”Ｎ”の場合）は、制御部３３は表示部３５に該当なしと表示して（ステップＳ１９）処理を終了する。
【００３４】
一方、内線検索サーバ１５のアドレスが登録されている場合（ステップＳ１６の”Ｙ”の場合）は、ステップＳ１７で、制御部３３は、内線検索サーバ１５に対して検索要求を実行する。この検索要求の詳細は後述する。
【００３５】
そして、制御部３３は、内線検索サーバ１５からの番号通知を待ち、内線検索サーバ１５から番号が通知されなかった場合（ステップＳ１８の”Ｎ”の場合）は、制御部３３は表示部３５に該当なしと表示して（ステップＳ１９）処理を終了し、内線検索サーバ１５から番号が通知された場合（ステップＳ１８の”Ｙ”の場合）は、制御部３３は内線検索サーバ１５から受け取った番号を表示部３５に表示する（ステップＳ１４）。
【００３６】
次に、内線検索サーバ１５に対する検索要求（ステップＳ１７）の詳細について、図５を参照して説明する。
【００３７】
携帯電話機１１の制御部３３は、無線ＬＡＮアンテナ３１ｂ及び無線ＬＡＮ通信部３２ｂを用いて、無線ＬＡＮアクセスポイント１２を介して、メモリ３６に予め登録・保存されていたホストネーム（ＩＰアドレス）にアクセスし、内線検索サーバ１５に対して無線ＬＡＮ経由で接続要求を行う（ステップＳ２１）。
【００３８】
内線検索サーバ１５は、携帯電話機１１側からの接続要求を待ち（ステップＳ２５）、接続が確立すると、携帯電話機１１の制御部３３は、検索要求を内線検索サーバ１５に送信し（ステップＳ２２）、内線検索サーバ１５はこれを受信し（ステップＳ２６）、番号検索部２２は、内線番号データベース１４に対して検索処理を実行する（ステップＳ２７）。
【００３９】
具体的には、携帯電話機１１の制御部３３は、利用者が電話帳検索で指定した検索キーに基づく検索要求を内線検索サーバ１５に送信し、内線検索サーバ１５の番号検索部２２は、指定された検索キーに基づいて内線番号データベース１４の検索を行う。この検索キーは、携帯電話機１１の電話帳検索機能で実現されている名前、フリガナ、グループ（部門名）等による検索のためのキーである。
【００４０】
内線検索サーバ１５の番号通知部２３は、内線番号データベース１４から検索結果を受け取り、検索結果を携帯電話機向け（すなわち、そのまま内線発信が可能な番号）に加工する（ステップＳ２８）。なお、対象とするデータベースは社内電話番号簿のものでもよく、検索結果には構内外への外線番号が含まれる場合も想定される。この場合、結果を受け取った利用者はそのまま内線から発信できるように、その構内システムからの外信発信番号を検索結果の外線番号に付与する。
【００４１】
内線検索サーバ１５の番号通知部２３は、加工した結果を携帯電話機１１に送信し（ステップＳ２９）、携帯電話機１１の制御部３３は、検索結果を内線検索サーバ１５から受信すると（ステップＳ２３）、内線検索サーバ１５との接続を切断する（ステップＳ２４）。この時点で内線検索サーバ１５は携帯電話機１１からの次の接続要求を待って待機状態となる（ステップＳ２５）。
【００４２】
このように、無線ＬＡＮによる内線電話機能を有する携帯電話機１１を含む内線電話システム１０に内線検索サーバ１５を設け、内線検索サーバ１５の番号検索部２２は、携帯電話機１１からの検索要求に応じて内線番号データベース１４を検索し、番号通知部２３は、検索した番号を携帯電話機１１向けに加工した後、携帯電話機１１に通知する制御を行うことによって内線番号の検索が可能になり、携帯電話機１１の利用者は、携帯電話機１１を通常使用する場合と同様に、そのまま内線発信することができる。
【００４３】
なお、携帯電話機１１では、一般的に、着信に際して着信番号から携帯電話機１１本体の電話帳を引いて、発信元の氏名を特定し表示する制御が行われている。そこで、携帯電話機１１が内線として使用されていて（ＶｏＩＰサーバ１３に接続された状態で）、着信番号が本体電話帳に見つからなかった場合は、前記の手法によって内線電話データベース１４から発信元を特定し、表示部３５に着信表示を行うという機能を携帯電話機１１に持たせてもよい。
【００４４】
また、上記実施例では、携帯電話機１１を用いて内線番号を検索する場合を示したが、本発明は上記実施例に限定されるものではなく、無線ＬＡＮ機能を備えた任意の携帯端末で、構内システムで管理される番号を検索する場合に対して、同様に適用することができる。
【産業上の利用可能性】
【００４５】
本発明は、無線ＬＡＮ内線電話機能を有する携帯電話機を含む内線電話システム及び内線番号検索方法に利用可能である。
【図面の簡単な説明】
【００４６】
【図１】本発明の一実施例に係る内線電話システムの構成を模式的に示す図である。
【図２】本発明の一実施例に係る内線電話システムの内線検索サーバの構成を示すブロック図である。
【図３】本発明の一実施例に係る内線電話システムの携帯電話機の構成を示すブロック図である。
【図４】本発明の一実施例に係る内線電話システムにおける内線番号の検索手順を示すフローチャート図である。
【図５】本発明の一実施例に係る内線検索サーバに対する検索要求の詳細を示すフロー図である。
【符号の説明】
【００４７】
１０  内線電話システム
１１  携帯電話機
１２  無線ＬＡＮアクセスポイント
１３  ＶｏＩＰサーバ
１４  内線番号データベース
１５  内線検索サーバ
２１  制御部
２２  番号検索部
２３  番号通知部
２４  通信部
３１ａ  アンテナ
３１ｂ  無線ＬＡＮアンテナ
３２ａ  通信部
３２ｂ  無線ＬＡＮ通信部
３３  制御部
３４  キー操作部
３５  表示部
３６  メモリ
３７  音声コーデック部
３８  スピーカ
３９  マイク
【図１】
2008245097.tif 000003
【図２】
2008245097.tif 000004
【図３】
2008245097.tif 000005
【図４】
2008245097.tif 000006
【図５】
2008245097.tif 000007